(57)【要約】【課題】一括して墓地墓石の総称的な内容を把握でき、墓地墓石の永代使用権者を明確にし、その者の権利を確実の確保し得るようにする。【解決手段】  墓地使用者の表示欄１、墓石欄、墓地使用権承継者系図欄、墓石権利承継者の系図欄、永代墓地使用権の表示欄、永代墓地使用権欄および公正証書欄を頁ごとに設ける。墓地使用者の表示欄１には、所在１ｂ、名称１ｃ、場所１ｄ、地番１ｅ等の記載欄を設け、前記墓地使用権承継者系図欄には、墓地購入日および墓地購入者を記載し、購入日順に使用権者を表示し、前記墓石権利承継者の系図欄には、墓石建立日および建立入者を記載し、建立日順に権利者を表示する。また、前記永代墓地使用権の表示欄には、所在、番号、発行日、登録番号等を記載し、前記永代墓地使用権欄には、住所、氏名等を記載する。【選択図】図１
0003109424.tif 000002
【実用新案登録請求の範囲】
【請求項１】
墓地使用者の表示欄、墓石欄、墓地使用権承継者系図欄、墓石権利承継者の系図欄、永代墓地使用権の表示欄、永代墓地使用権欄および公正証書欄を設けたことを特徴とする墓地墓石登録証書。
【請求項２】
墓地使用者の表示欄、墓石欄、墓地使用権承継者系図欄、墓石権利承継者の系図欄、永代墓地使用権の表示欄、永代墓地使用権欄、公正証書欄、霊位の表示欄および所有権外の権利欄を設けたことを特徴とする墓地墓石登録証書。
【請求項３】
前記墓地使用者の表示欄は、所在、名称、場所、地番の各記載欄に細分されていることを特徴とする請求項１または２記載の墓地墓石登録証書。
【請求項４】
前記地番は、地目、地積、権利発行の日付、権利の発行所の各記載欄に細分されていることを特徴とする請求項３記載の墓地墓石登録証書。
【請求項５】
前記墓石欄は、型式、石材、竿石の各記載欄に細分されていることを特徴とする請求項１または２記載の墓地墓石登録証書。
【請求項６】
前記墓地使用権承継者系図欄は、墓地購入日および墓地購入者を記載し、購入日順に使用権者を表示することを特徴とする請求項１または２記載の墓地墓石登録証書。
【請求項７】
前記墓石権利承継者の系図欄は、墓石建立日および建立入者を記載し、建立日順に権利者を表示することを特徴とする請求項１または２記載の墓地墓石登録証書。
【請求項８】
前記永代墓地使用権の表示欄は、所在、番地、地目、地積、名称、番号、発行日、登録番号を記載することを特徴とする請求項１または２記載の墓地墓石登録証書。
【請求項９】
前記永代墓地使用権欄は、住所、氏名、生年月日を記載することを特徴とする請求項１または２記載の墓地墓石登録証書。
【請求項１０】
前記霊位の表示欄は、家紋、寺院・宗旨・宗派、俗名・生年月日および没年月日、学歴、血液型、行年の各記載欄に細分されていることを特徴とする請求項２記載の墓地墓石登録証書。
【考案の詳細な説明】
【技術分野】
【０００１】
本考案は、墓地および墓石の管理を行う墓地墓石登録証書に関する。
【背景技術】
【０００２】
従来より、人が亡くなった場合には、葬儀の後に火葬したのち、その遺骨を日を置いて墓に埋葬し、命日、お盆、お彼岸等に墓参することが一般的に行われているが、従来にあっては、墓地墓石を管理する証書等は存在していなかった。
【考案の開示】
【考案が解決しようとする課題】
【０００３】
墓は霊園、寺院から購入して永代使用権を所有し、墓を子孫代々に継承しているが、年月の経過に伴って記憶が曖昧となり、一括して墓地墓石の総称的な内容を把握できなくなる恐れがあった。そのため個人の戒名や俗名ばかりでなく、墓の在り場所やその存在までもが忘れ去られる恐れがあるが、墓地墓石を管理する証書等は存在していない恐れがあるので墓地墓石の所有が不明となり、極端な場合には第三者との争いを生じる恐れがあった。また、永代使用証書を発行し、取得権利者が永代使用権の持ち主であることを証している墓園、霊園もあるが、その永代使用証書は発行している墓園、霊園が管理しているので、例えば紛失等が生じた場合にはその永代使用権の所有が不明確となる恐れが生ずる場合がある。
【０００４】
本考案は、前記従来技術の問題点に鑑みてなされたもので、一括して墓地墓石の総称的な内容を把握でき、墓地墓石の永代使用権者を明確にし、その者の権利を確実の確保し得るようにした墓地墓石登録証書を提供することを目的とする。
【課題を解決するための手段】
【０００５】
前記目的を達成するために、本考案の請求項１の墓地墓石登録証書は、墓地使用者の表示欄、墓石欄、墓地使用権承継者系図欄、墓石権利承継者の系図欄、永代墓地使用権の表示欄、永代墓地使用権欄および公正証書欄を設けたことを特徴とする。
【０００６】
本考案の請求項２の墓地墓石登録証書は、墓地使用者の表示欄、墓石欄、墓地使用権承継者系図欄、墓石権利承継者の系図欄、永代墓地使用権の表示欄、永代墓地使用権欄、公正証書欄、霊位の表示欄および所有権外の権利欄を設けたことを特徴とする。
【０００７】
本考案の請求項３の墓地墓石登録証書は、請求項３の構成にあって、前記墓地使用者の表示欄は、所在、名称、場所、地番の各記載欄に細分されていることを特徴とする。
【０００８】
本考案の請求項４の墓地墓石登録証書は、請求項１または２の構成にあって、前記地番は、地目、地積、権利発行の日付、権利の発行所の各記載欄に細分されていることを特徴とする。
【０００９】
本考案の請求項５の墓地墓石登録証書は、請求項１または２の構成にあって、前記墓石欄は、型式、石材、竿石の各記載欄に細分されていることを特徴とする請求項１または２記載の墓地墓石登録証書。
【００１０】
本考案の請求項６の墓地墓石登録証書は、請求項１または２の構成にあって、前記墓地使用権承継者系図欄は、墓地購入日および墓地購入者を記載し、購入日順に使用権者を表示することを特徴とする。
【００１１】
本考案の請求項７の墓地墓石登録証書は、請求項１または２の構成にあって、前記墓石権利承継者の系図欄は、墓石建立日および建立入者を記載し、建立日順に権利者を表示することを特徴とする。
【００１２】
本考案の請求項８の墓地墓石登録証書は、請求項１または２の構成にあって、前記永代墓地使用権の表示欄は、所在、番地、地目、地積、名称、番号、発行日、登録番号を記載することを特徴とする。
【００１３】
本考案の請求項９の墓地墓石登録証書は、請求項１または２の構成にあって、前記永代墓地使用権欄は、住所、氏名、生年月日を記載することを特徴とする。
【００１４】
本考案の請求項１０の墓地墓石登録証書は、請求項２の構成にあって、前記霊位の表示欄は、家紋、寺院・宗旨・宗派、俗名・生年月日および没年月日、学歴、血液型、行年の各記載欄に細分されていることを特徴とする。
【考案の効果】
【００１５】
本考案は以上のように構成したことにより、一括して墓地墓石の総称的な内容を把握でき、代々の墓地墓石の永代使用権者を明確にするとともに、現在の所有者の永代使用権を確実の確保することができる。
【考案を実施するための最良の形態】
【００１６】
一括して墓地墓石の総称的な内容を把握でき、代々の墓地墓石の永代使用権者を明確にするとともに、現在の所有者の永代使用権を確実の確保するという目的を、必要事項を冊子として纏め、この内容を公証人役場で認証を受けることで実現した。
【実施例１】
【００１７】
本考案の墓地墓石登録証書の実施例１を図１〜９に基づいて説明する。図１は墓地使用者の表示欄、図２は墓石欄、図３は墓地使用権承継者系図欄、図４は墓石権利承継者の系図欄、図５は霊位の表示欄、図６は永代使用権欄、図７は所有権外の権利欄、図８は永代墓地使用権の表示欄、図９は永代墓地使用権欄である。
【００１８】
本実施例の墓地墓石登録証書は、Ｂ４版の用紙に印刷され、図１の墓地使用者の表示欄１と図２の墓石欄、図５の霊位の表示欄５と図６の永代使用権欄、図７は所有権外の権利欄、図８の永代墓地使用権の表示欄８と図９の永代墓地使用権欄９はそれぞれ中央部分で二つ折りしてＢ５版の大きさとし、図３の墓地使用権承継者系図欄３および図４の墓石権利承継者の系図欄４はＢ４版の大きさとなっており、墓地使用権承継者系図欄３および図４の墓石権利承継者の系図欄４をＢ５版の大きさに折り畳み、「墓地墓石登録証書」の印刷した用紙を表紙にして、図１〜図９の順に重ねて左綴じたＢ５版の大きさの冊子状になっている。なお、墓地墓石登録証書の大きさはＢ５版の限られず、また各欄の綴じる順序も限られない。
【００１９】
図１の墓地使用者の表示欄１は、「墓地使用者の表示」１ａが最上段に表記され、その下方に右側から「所在」記入欄１ｂ、「名称」記入欄１ｃ、「場所」記入欄１ｄ、「地番」記入欄１ｅが設けられている。さらに、「地番」記入欄１ｅは、「地目」記入欄１ｆ、「地積」記入欄１ｇ、「権利発行の日付」記入欄１ｈ、「権利の発行所」記入欄１ｉが上段から下段に設けられている。
【００２０】
図２の墓石欄２は、「墓石」２ａが最上段に表記され、その下方に上段から「型式」記入欄２ｂ、「石材」記入欄２ｃ、「竿石」記入欄２ｄが設けられている。
【００２１】
図３の墓地使用権承継者系図欄３は、「墓地購入日および墓地購入者」記載欄３ａが右側に設けられ、その左側に「使用権者」記載欄３ｂが設けられている。「使用権者」記載欄３ｂは、１位使用権者から１８位使用権者まで枠３ｃ中に記載できるようなっており、枠３ｃは順次に線で結ばれている。
【００２２】
図４の墓石権利承継者の系図欄４は、「墓石建立日および建立者」記載欄４ａが右側に設けられ、その左側に「権利者」記載欄４ｂが設けられている。「権利者」記載欄４ｂは、１位権利者から１８位権利者まで枠４ｃ中に記載できるようなっており、枠４ｃは順次に線で結ばれている。
【００２３】
図５の霊位の表示欄５は、「家紋」記入欄５ａと「霊位の表示」記入欄５ｂが左右最上段に横並記され、「家紋」記入欄５ａの下段には「寺院．宗旨．宗派」記入欄５ｃが設けられるとともに、「霊位の表示」記入欄５ｂの下段には「俗名・年月日」記入欄５ｄ、「学歴」記入欄５ｅ、「経歴」記入欄５ｆ、「備考」欄５ｇが設けられ、「経歴」５ｆには「血液型」記入欄５ｈと「行年」記入欄５ｉが横並記されている。
【００２４】
図６の永代使用権欄６、最上段に「永代使用権」６ａが表記され、その下段に「順位」記入欄６ｂ、「事項欄」記入欄６ｃが順次設けられており、その「順位」記入欄６ｂと「事項欄］６ｃは３段に設けられている。
【００２５】
図７の所有権外の権利欄７は、最上段に「永代使用権」７ａが表記され、その下段に「順位」記入欄７ｂ、「事項欄」記入欄７ｃが順次設けられるとともに、その「順位」記入欄７ｂと「事項欄］７ｃは３段に設けられている。
【００２６】
図８の永代墓地使用権の表示欄８は、左側に「永代墓地使用権の表示」が表記され、その右側に「所在」、「番地」、「地目」、「地積」、「名称」、「番号」、「発行日」、「登録番号」が順次に表記されている。
【００２７】
図９の永代墓地使用権欄９は、左側に「永代墓地使用権」が表記され、その右側に「住所」、「氏名」、「生年月日」が順次に表記されている。
【００２８】
公正証書欄は、認証を受ける者を特定する事項を記載し、公証人役場で押印を受けるようにする。そして、例えば、「墓地使用者の表示記載欄の墓地について永代使用権欄に記載する者が永代墓地使用権を有することを認証する。」との文言を記載する。
【図面の簡単な説明】
【００２９】
【図１】墓地使用者の表示欄である。
【図２】墓石欄である。
【図３】墓地使用権承継者系図欄である。
【図４】墓石権利承継者の系図欄である。
【図５】霊位の表示欄である。
【図６】永代使用権欄である。
【図７】所有権外の権利欄である。
【図８】永代墓地使用権の表示欄である。
【図９】永代墓地使用権欄である。
【符号の説明】
【００３０】
１    墓地使用者の表示欄
１ａ  「墓地使用者の表示」
１ｂ  「所在」記入欄
１ｃ  「名称」記入欄
１ｄ  「場所」記入欄
１ｅ  「地番」記入欄
１ｆ  「地目」記入欄
１ｇ  「地積」記入欄
１ｈ  「権利発行の日付」記入欄
１ｉ  「権利の発行所」記入欄
２    墓石欄
２ａ  「墓石」
２ｂ  「型式」記入欄
２ｃ  「石材」記入欄
２ｄ  「竿石」記入欄
３    墓地使用権承継者系図欄
３ａ  「墓地購入日および墓地購入者」記載欄
３ｂ  「使用権者」記載欄
４    墓石権利承継者の系図欄
４ａ  「墓石建立日および建立者」記載欄
４ｂ  「権利者」記載欄
４ｃ  枠
５    霊位の表示欄
５ａ  「家紋」記入欄５ａ
５ｂ  「霊位の表示」記入欄
５ｃ  「寺院．宗旨．宗派」記入欄５ｃ
５ｄ  「俗名・年月日」記入欄
５ｅ  「学歴」記入欄
５ｆ  「経歴」記入欄
５ｇ  「備考」欄
５ｈ  「血液型」記入欄
５ｉ  「行年」記入欄
６    永代使用権欄
６ａ  「永代使用権」
６ｂ  「順位」記入欄
６ｃ  「事項欄」記入欄６
７    所有権外の権利欄
７ａ  「永代使用権」
７ｂ  「順位」記入欄
７ｃ「事項欄」記入欄７ｃ
８    永代墓地使用権の表示欄
９    永代墓地使用権欄
【図１】
0003109424.tif 000003
【図２】
0003109424.tif 000004
【図３】
0003109424.tif 000005
【図４】
0003109424.tif 000006
【図５】
0003109424.tif 000007
【図６】
0003109424.tif 000008
【図７】
0003109424.tif 000009
【図８】
0003109424.tif 000010
【図９】
0003109424.tif 000011